(57)【特許請求の範囲】
【請求項１】
基材の片面又は両面に防水粘着層を形成した防水材において、前記防水粘着層が片面に形成されている基材の外面に、該基材と相性の悪い塗料で意匠を施すか又は基材の両面に形成した防水粘着層の一方に仮着した剥離紙の外面に、フィラー分或いは顔料を多くした塗料で意匠を施すことを特徴とする防水材。
【発明の詳細な説明】
【技術分野】
【０００１】
本発明は、瓦、スレート系及び金属などの屋根上葺材と野地板との間に介在せしめて屋根の防水性を保持させ、あるいは外壁の窓等の開口部周辺の防水性を保持させる等住宅における防水が必要な個所に適用する防水材に関するものである。
【背景技術】
【０００２】
屋根下葺材の防水あるいは外壁の窓等の開口部周辺の防水等において、通常に使用されている防水テープの防水粘着層は、主成分となるエラストマー（例えば、ブチルゴム系、アクリル系、天然ゴム系、イソプレンゴム系、スチレンブタジエンゴム系、スチレン・ブタジエンブロック共重合体系、ポリイソブチレン系、シリコーンゴム系、ポリビニルイソブチルエーテル系、クロロプレンゴム系、ニトリルゴム系、グラフトゴム系、再生ゴム系又はこれらの混合系、これらとアスファルトとの混合系）に、粘着付与剤、軟化剤、老化防止剤、フィラー、架橋剤を加えてなるが、被着面に半永久的に強い接着力をもって密着させるためには、基材の背面側を転圧ローラを使って強く押圧摺動させて押えるか、作業者の手の力で強く押圧摩擦させることが必要である。
【発明の開示】
【発明が解決しようとする課題】
【０００３】
しかしながら、防水材を被着面に適用するときに、その都度、基材の背面側を転圧ローラにより押圧摺動させれば問題は生じないが、防水材を貼った後、転圧ローラをその都度持ち替えて転圧することは至極面倒なことであり、作業者はついつい軍手などの手袋をした手で軽く押さえる程度で終わらせて仕舞うことが生じた。もちろん、作業者の押さ方にも「強さ」に個人差があり、その作業者にとって強く押圧摩擦させたと思っても現実には防水粘着層が被着面に充分に密着しないで数日（約３日程度）後、剥がれ落ちる場合もあり、かかる場合には雨を防ぎきれないことが起こり得た。
【０００４】
本発明は上記の問題を解消するためのもので、その目的とするところは、防水粘着層を被着面に充分に密着させたことが、基材の背面を見ることによって誰にも容易に視認（一目瞭然に判ること）できるようにした防水材を提供することにある。
【課題を解決するための手段】
【０００５】
上記目的を達成するため、本発明に係る防水材は、基材の片面又は両面に防水粘着層を形成した防水材において、前記防水粘着層が片面に形成されている基材の外面に、該基材と相性の悪い塗料で意匠を施すか又は基材の両面に形成した防水粘着層の一方に仮着した剥離紙の外面に、フィラー分或いは顔料を多くした塗料で意匠を施すことを特徴とし、押圧摩擦により意匠が薄くなるか消える程の変化が生じたときは防水粘着層が被着面に密着ことが客観的に認知できるように構成した。
【発明の効果】
【００１０】
本発明に係る防水材によれば、基材の片面又は両面に防水粘着層を形成した防水材において、前記防水粘着層が片面に形成されている基材の外面に、該基材と相性の悪い塗料で意匠を施すか又は基材の両面に形成した防水粘着層の一方に仮着した剥離紙の外面に、フィラー分或いは顔料を多くした塗料で意匠を施すことを特徴としているから、作業者が基材の片面に防水粘着層を形成した防水材を使用し、防水粘着層を被着面に貼った後、その基材の外面に施した意匠（色彩、文字又は模様）が薄くなるか、消えるなどの変化を起こしているとき、或いは基材の両面に防水粘着層を形成した防水材の一方の剥離紙を剥がして、該防水粘着層を被着面に貼った後、他方の剥離基材の外面に施した意匠が薄くなるか、消えるなどの変化を起こしているときは、防水粘着層が被着面に充分に密着し、雨を防ぎきれるようになっていることが誰にも容易に視認できるという優れた効果を奏するものである。
【発明を実施するための最良の形態】
【００１５】
次に、本発明の実施の態様を添付図面に基づいて説明する。図１は本願防水材をロール状に巻いた場合の斜視図、図２は本願防水材の構成を示し、（ａ）は両面防水材、（ｂ）は片面防水材、図３は本願防水材の基材の背面を示し、（ａ）は非摩擦面、（ｂ）は押圧摩擦後、図４は基材の背面に形成した微細凸面を示す拡大断面図、図５は本願防水材の施工後を示す斜視図で、（ａ）は実施例、（ｂ）は比較例である。
【００１６】
図において、１は本願防水材、２は基材である。基材２の表面には防水粘着層３が成層され、該防水粘着層３の外面には剥離紙（紙に限らない）４が仮着されている。前記基材２の背面には押圧摩擦により、例えば、薄くなるように変化する意匠（例：格子模様）５が施され（印刷）ている。
【００１７】
本願防水材１は、前記剥離紙４側が外側になるように芯管（紙管）６にロール状に巻かれ、剥離紙４を剥がしつつロールを巻戻して防水粘着層３を被着面（防水施工面）に貼ることができるようになっている。なお、図示していないが、本願防水材１はロール状に巻いたものばかりでなく、予め、想定した防水施工面の幅に合わせて板状のまま製品にすることもある。
【００１８】
前記本願防水材１の構成例であるが、図２（ａ）は、防水粘着層３の両面に剥離紙４、４を仮着した両面防水材を示している。また、図２（ｂ）は、防水粘着層３の外面に剥離紙４を仮着してなる片面防水材（図１と同じ）を示している。前記両面防水材の場合、一方（上側）の剥離紙４はそのままに残し、他方（下側）の剥離紙４を剥がして被着面に貼った防水粘着層３をその被着面に密着させるために上側の剥離紙の背面を強く押圧摩擦することから、この押圧する面にも押圧摩擦により変化する意匠５が施されている。なお、図２（ａ）の場合、防水粘着層３の厚さの中間部に埋設させた基材（芯材）２は穴開きになっているが、必ずしも穴開きの基材（芯材）である必要はない。
【００１９】
前記基材２としては、横幅（Ｈ−Ｈ′方向）が５〜５０ｃｍ、長さ（Ｎ−Ｎ′方向）が０．５〜５０ｍのもので、用途によっては横幅や長さは任意に決定される。また、基材２の材質は、用途によって多様な材料が用いられる。たとえば、ＰＶＣ、ＰＥ、ＰＥＴ、ＰＰなどのプラスチックフィルム、アスファルトを含浸した織布、不織布、紙、またはプラスチックフィルムと織布、不織布、紙を貼り合わせたもの、あるいは、アルミ、銅、鉄などを含む金属箔の単体或いはこれらの複合品などがある。
【００２０】
前記防水粘着層３は、その主成分となるエラストマー（たとえば、ブチルゴム系、アクリル系、天然ゴム系、イソプレンゴム系、スチレンブタジエンゴム系、スチレン・ブタジエンブロック共重合体系、ポリイソブチレン系、シリコーンゴム系、ポリビニルイソブチルエーテル系、クロロプレンゴム系、ニトリルゴム系、グラフトゴム系、再生ゴム系、又はこれらの混合系、これらとアスファルトとの混合系）に、粘着付与剤、軟化剤、老化防止剤、フィラー、架橋剤を適量加えることがある。
【００２１】
前記粘着付与剤としては、ロジン系、ロジン誘導体系、テルペン系、スチレン系、石油系、キシレン系、フェノール系、クマロン・インデン系等がある。また、前記軟化剤としては、液状プロプテン、ナフテン系オイル、プロセスオイル、液状イソプレン、ＤＯＰ、ＤＢＰ等がある。さらに、前記老化防止剤としては、芳香族アミン誘導体、フェノール誘導体、有機チオ酸塩等がある。さらにまた、フィラーとしては、亜鉛華、チタン白、炭酸カルシウム、クレー、顔料、カーボン等がある。さらにまた、前記架橋剤としては、チラウム系、樹脂系、イソシアネート系、エポシキ系、金属キレート系等がある。
【００２２】
前記基材２の背面（片面防水材であれば表面材の外面、両面防水材であれば防水粘着層の一方に仮着した剥離紙の外面）に施した意匠５は、図示の例では格子模様を示しているが、他の模様であってもよいし、例えば、赤、黄色などの単一色であっても、文字と記号とを組み合わせたものでもよい。ここに文字は漢字、平仮名、片仮名及び英文字を含み、表現内容に意味があっても無くてもよい。模様は静物や動物などの絵、幾何学的なものでも、縞状のものでも、その他（例：複数色＝色分け模様という）のものでもよい。
【００２３】
前記意匠５は、押圧摩擦により変化する限り、薄くなるか、消えるもののみならず、色が濃くなるように変化する場合も含む。例えば、黒地に白色で模様を施しておくと、押圧摩擦により模様を薄くすると黒地が現れて濃くなる如くである。また、押圧摩擦によりマイクロカプセルが潰れ、予め、カプセル中に充填したインクが流出して色が濃くなるか、「ＯＫ」等の文字や記号や絵が浮き出る如く変化する場合もある。
【００２４】
前記意匠５を基材２あるいは剥離紙の背面に施すに際し、基材２を構成したＰＥＴフィルムと相性の悪い塩素化ＰＰ塗料又はＥＶＡ系塗料を用いると、強い押圧摩擦により摩擦部分が薄くなるか消えるように変化し易くなる。
【００２５】
また、前記意匠５を施す塗料には、樹脂分に対してフィラー（タルク、消石灰等）分あるいは顔料を多くしたものを使用すると、意匠面にフィラーあるいは顔料が多く露出するため、強い摩擦により塗料が剥がれ易くなる。
【００２６】
さらに、前記基材２の背面に、予め、図４の如く、微細凸面（又は微細エンボス）７を形成し、その微細凸面を含めて意匠５を施しておくと、その意匠面を押圧摩擦するとその頂部７′において剥げる等の変化が生じ易くなる。
【００２７】
上記意匠５が施された基材２あるいは剥離紙４の背面を、例えば、手袋（軍手）をした手で強い押圧摩擦を加えると、平時の意匠５が、図３（ａ）の状態（実線の格子模様）から図３（ｂ）の状態（破線の格子模様）に摩擦部分が変化する。つまり、基材２あるいは剥離紙４の背面の意匠５の変化の状況を見ると、基材２あるいは剥離紙４の背面に強い押圧摩擦が加えられ、延いては、防水粘着層３が被着面に密着したことが誰にでも容易に視認できることとなる。
【００２８】
次に実施例及び比較例について述べる。
いま、ＰＥＴフィルムからなる基材２の一面（背面になる方）に、ＰＥＴフィルムと相性の悪い塩素系ＰＰ塗料を使って意匠（格子模様）を印刷（施し）し、該フィルムの他方の面（表面）にブチルゴム系のエラストマーにアスファルトを混合してなる接着力を有する防水粘着層３を形成し、該防水粘着層３の外面に剥離紙４を仮着してなる本願防水材１を得、これを横幅１００ｍｍ、長さ２０ｍに裁断した後、剥離紙側が外になるように芯管（直径８０ｍｍ）にロール状に巻いた。
〔実施例〕
【００２９】
上記ロール状に巻いた本願防水材１を、その先端から剥離紙４を剥がし、露出させた防水粘着層３を、図５（ａ）の如く、建物の外壁の開口部に嵌めたサッシ枠８と壁９との継ぎ目を跨いだ被着面（防水施工面）に貼り進め、必要な長さに達した時点で切断した後、基材２の背面を強く押圧摩擦させて防水粘着層３を被着面に接着させた。この場合、基材２の背面に施した意匠（格子模様）が薄くなるように変化（変化の状況を破線で示す）した。かくして、縦方向に貼った本願防水材１の各上端を隠すように重ねて本願防水材１を横方向に貼り、基材２の背面に施した意匠（格子模様）が薄く変化するまで強く押圧摩擦させた。これらの作業に先立ってサッシ枠８の下側の壁には、枠下縁に嵌合できる凹部を上縁に設けた防水シート（先張りシート）１０が先張りされている。
〔比較例〕
【００３０】
上記ロール状に巻いた本願防水材１を、その先端から剥離紙４を剥がし、露出させた防水粘着層３を、図５（ｂ）の如く、建物の外壁の開口部に嵌めたサッシ枠８と壁９との継ぎ目を跨いだ被着面（防水施工面）に貼り進め、必要な長さに達した時点で切断した後、基材２の背面を軽く撫でた程度で防水粘着層３を被着面に接着させた。この場合、基材２の背面に施した意匠（格子模様）５には何ら変化が顕れていなかった。変化していない状況を示すため格子模様を実線で示している。かくして、縦方向に貼った本願防水材１の各上端を隠すように重ねて本願テープ１を横方向に貼り、基材２の背面を軽く撫でた程度にした。これらの作業に先立ってサッシ枠８の下側の壁には、枠下縁に嵌合できる凹部を上縁に設けた防水シート１０が先張りされている。
【００３１】
上記作業後、上記実施例および比較例の防水施工面について、屋外で本願防水材１が剥がれるか否かを経過したところ、上記実施例では全く剥がれなかったが、上記比較例では押圧力が弱かったために、３日目には被着面から剥がれたことが確認できた。
【００３２】
上記の結果から、基材２の背面を、その背面に施した意匠５が薄くなる程度に強く押圧摩擦させると、防水粘着層３が被着面（防水施工面）に確実に密着して貼着力を高めることが判った。一方、基材２の背面を軽く撫でて防水粘着層３を被防水施工面に接着させる程度では剥がれ易いことが判った。換言すれば、基材２の背面に施した意匠５が変化した状態を視認できれば、防水粘着層３の被着面への密着し高い貼着力、ひいては高い防水性が得られることが判った。
【産業上の利用可能性】
【００３３】
本願防水材は、瓦、スレート系及び金属などの屋根上葺材と野地板との間の屋根の防水あるいは外壁の窓等の開口部周辺の防水施工の現場で広く利用できるもので産業上の利用可能性は高いものである。
【図面の簡単な説明】
【００３４】
【図１】本願防水材をロール状に巻いた場合の斜視図である。
【図２】本願防水材の構成を示し、（ａ）は両面テープ、（ｂ）は片面テープである。
【図３】本願防水材の基材の背面を示し、（ａ）は非摩擦面、（ｂ）は押圧摩擦後である。
【図４】基材の背面に形成した微細凸面を示す拡大断面図である。
【図５】本願防水材の施工後を示す斜視図で、（ａ）は実施例、（ｂ）は比較例である。
【符号の説明】
【００３５】
１  本願防水材
２  基材
３  防水粘着層
４  剥離紙
５  意匠
６  芯管（紙管）
７  微細凸面
７′  頂部
８  サッシ枠
９  壁
１０  防水シート（先張りシート）
【図１】
0005528737.tif 000002
【図２】
0005528737.tif 000003
【図３】
0005528737.tif 000004
【図４】
0005528737.tif 000005
【図５】
0005528737.tif 000006